(57)【要約】      （修正有）【課題】厳しい寒冷気候状況から着用者の顔を守るフェイスマスクを提供する。【解決手段】フェイスマスク１００はマスクモジュール３０及び頭部モジュール１１０を有する。マスクモジュール３０は、外面及び内面３４を有し、顔の一部分を被覆する大きさ及び形状を有する。さらに、調整可能な上部分、中間部分及び下部分を有し、上部分は少なくとも鼻の一部分に適合可能に構成されている。中間部分は複数層のマウスピース４２及びマスクモジュール３０の対向する両側部に配置される複数のプリーツ４４を有する。プリーツ４４は、フェイスマスク１００が顔に着用される際、マスクモジュール３０の形成材料に、マスクモジュール３０の内面３４と少なくとも口との間の空間を画成するアコーディオン効果を付与する。頭部モジュール１１０はマスクモジュール３０に連結し、使用者の頭部の少なくとも一部分を被覆するように構成されている。【選択図】図６
0003210690.tif 000002
【実用新案登録請求の範囲】
【請求項１】
鼻、口及び顎を持つ顔とともに頭を保護するマスク（１００、２００、３００、４００、５００、６００）において、
マスクモジュール（３０）と、該マスクモジュール（３０）に連結する頭部モジュール（１１０、２１０、３１０、４１０、５１０、６１０）と、を有し、
前記マスクモジュール（３０）は、外面（３２）及び内面（３４）を有し、かつ顔の一部分を被覆する大きさ及び形状を有しており、
前記マスクモジュール（３０）は、さらに、調整可能な上部分（３６）、中間部分（３８）及び下部分（４０）を有し、上部分（３６）は少なくとも鼻の一部分に適合可能に構成されており、中間部分（３８）は複数層のマウスピース（４２）及びマスクモジュール（３０）の対向する両側部に配置される複数のプリーツ（４４）を有し、該プリーツ（４４）は、マスク（１００、２００、３００、４００、５００、６００）が顔に着用される際、マスクモジュール（３０）の形成材料に、マスクモジュール（３０）の内面（３４）と少なくとも口との間の空間（４６）を画成するアコーディオン効果を付与し、
前記頭部モジュール（１１０、２１０、３１０、４１０、５１０、６１０）は、少なくとも頭の一部分を被覆するように構成されている
マスク（１００、２００、３００、４００、５００、６００）。
【請求項２】
請求項１に記載のマスクにおいて、上部分（３６）は、該上部分（３６）に配置されるフレキシブルバンド（５４）を有し、該フレキシブルバンド（５４）は、少なくとも鼻の一部分に適合可能に構成されているマスク。
【請求項３】
請求項２に記載のマスクにおいて、フレキシブルバンド（５４）は、顔を横断して上部分（３６）内で延びており、広く該フレキシブルバンド（５４）が配置される顔の曲線に適合して、広く該フレキシブルバンド（５４）に沿った顔上にかかる、マスク（１００、２００、３００、４００、５００、６００）の重量を広く分散させるマスク。
【請求項４】
請求項３に記載のマスクにおいて、フレキシブルバンド（５４）は、その両端部が、ほぼ反対方向に鼻から離れるように延びているマスク。
【請求項５】
請求項２に記載のマスクにおいて、フレキシブルバンド（５４）は、マスクモジュール（３０）内部の温度と、マスク（１００、２００、３００、４００、５００、６００）の内部または外部で動いている空気量とを調整可能となるように再構成可能であるマスク。
【請求項６】
請求項１に記載のマスクにおいて、上部分（３６）は、マスク（１００、２００、３００、４００、５００、６００）と顔との間における接触を増減させ、これにより、顔上のマスクの圧力を調整可能となるように形状変更可能であるマスク。
【請求項７】
請求項１に記載のマスクにおいて、上部分（３６）は、マスク（１００、２００、３００、４００、５００、６００）の内部及び／または外部の空気量を調整可能となるように形状変更可能であるマスク。
【請求項８】
請求項１に記載のマスクにおいて、顔に対する上部分（３６）の形状は、マスク（１００、２００、３００、４００、５００、６００）の内部または外部の空気を動かすために少なくとも１つの流路を画成し、該少なくとも１つの流路が少なくとも１つの前記空間（４６）内の温度、顔におけるマスク（１００、２００、３００、４００、５００、６００）の圧力ポイント、及びマスク（１００、２００、３００、４００、５００、６００）の内部及び／または外部の空気量を調整するマスク。
【請求項９】
請求項１に記載のマスクにおいて、空間（４６）内の空気は、一般にマスクモジュール（３０）の外部の空気よりも暖かく、マスクモジュール（３０）の位置をしっかり保持している間に、空間（４６）は口及び顎の動作を許容するマスク。
【請求項１０】
請求項１に記載のマスクにおいて、多層のマウスピース（４２）は、外側層（４８）、中間層（５０）、内側層（５２）を備え、該マウスピース（４２）は、流入する空気の直接の進入を防止するとともに、外側層（４８）は、流入する空気をそらせて放散し、中間層（５０）は流入空気を暖めるエアトラップを付与するマスク。
【請求項１１】
請求項１に記載のマスクにおいて、マスクモジュール（３０）及び頭部モジュール（１１０、２１０、３１０、４１０、５１０、６１０）は、縫い目を最小限にするためにフラットシーム工法を用いて一緒に縫合され、それぞれのモジュール（３０、１１０、２１０、３１０、４１０、５１０、６１０）の少なくとも一部が同一の材料で作られているマスク。
【請求項１２】
請求項１に記載のマスクにおいて、マスクモジュール（３０）は、頭部モジュール（１１０、２１０、３１０、４１０、５１０、６１０）に一体的に連結されており、かつ頭部モジュール（１１０、２１０、３１０、４１０、５１０、６１０）の少なくとも一部と同一の材料で作られているマスク。
【請求項１３】
請求項１に記載のマスクにおいて、マスクモジュール（３０）及び前記頭部モジュール（１１０、２１０、３１０、４１０、５１０、６１０）の連結は、モジュールマスク（１００）、フルマスク（２００）、ネックウォーマー付きフルマスク（３００）、バラクラバマスク（４００、５００）及びバンダナマスク（６００）のうち少なくとも１つを構成するマスク。
【請求項１４】
請求項１に記載のマスクにおいて、マスクモジュール（３０）を形成する前記材料は、断熱性及び通気性のある生地からなるマスク。
【請求項１５】
請求項１に記載のマスクにおいて、マスクモジュール（３０）を形成する前記材料は、ウィッキング性及び抗菌性を有するマスク。
【請求項１６】
請求項１に記載のマスクにおいて、マスクモジュール（３０）を形成する前記材料は、防水性及び通気性のある中膜を有する３層生地からなり、外面（３２）が撥水加工処理されているマスク。
【請求項１７】
請求項１に記載のマスクにおいて、頭部の一部をぴったりと被覆する大きさ及び形状とされているマスク。
【請求項１８】
請求項１に記載のマスクにおいて、マスクモジュール（３０）の上部分（３６）は、顔の曲線に適合し、マスクモジュール（３０）の内部と外部環境との間にシールを形成して、顔に着用されたゴーグルが曇ることを防止するマスク。
【請求項１９】
鼻、口及び顎を持つ顔とともに頭を保護するマスク（１００、２００、３００、４００、５００、６００）の構成部材の一つである頭部モジュール（１１０、２１０、３１０、４１０、５１０、６１０）と連結して使用されるマスクモジュール（３０）において、
外面（３２）及び内面（３４）を有し、かつ顔の一部分を被覆する大きさ及び形状を有しており、
さらに、調整可能な上部分（３６）、中間部分（３８）及び下部分（４０）を有し、上部分（３６）は少なくとも鼻の一部分に適合可能に構成されており、中間部分（３８）は複数層のマウスピース（４２）及びマスクモジュール（３０）の両側部に配置される複数のプリーツ（４４）を有し、該プリーツ（４４）は、マスク（１００、２００、３００、４００、５００、６００）が顔に着用される際、マスクモジュール（３０）の形成材料に、内面（３４）と少なくとも口との間の空間（４６）を画成するアコーディオン効果を付与するように構成されている
マスクモジュール（３０）。
【考案の詳細な説明】
【技術分野】
【０００１】
本考案は、広くフェイスマスクに関するものである。とくに、本考案は、モジュール式の機能を有するフェイスマスクに関するものである。
【背景技術】
【０００２】
多くの職業上及びレクリエーション上の活動は、人々を穏やかな状況から極めて厳しい状況まで変化する寒冷気候状況に晒す。フェイスマスクは、雨、雪、風のような厳しい寒冷気候状況から着用者の顔を守ることを意図して開発されてきている。
【考案の概要】
【考案が解決しようとする課題】
【０００３】
異なるタイプのフェイスマスクが、寒冷気候における保護のために提案されてきたが、従来のフェイスマスクには限界があり、常に改善されている。
【０００４】
それゆえ、改善されたフェイスマスクは、寒冷気候における保護用であることが必要である。また、フェイスマスクは、モジュール式の機能を有することが必要である。さらに、フェイスマスクは、防水／耐水であることが必要である。加えて、フェイスマスクは、通気材で形成されることが必要である。さらにまた、フェイスマスクは、ウィッキング性及び抗菌性を有する材料で形成されることが必要である。また、フェイスマスクは、無臭であることが必要である。加えて、フェイスマスクは、製造、取り付け、調整、及び保持がより容易であることが必要である。
本考案の一側面では、改善されたマスク及びこれに用いるマスクモジュールを提供する。
【課題を解決するための手段】
【０００５】
以下では、本考案の理解を容易にするために、本考案の実施形態を示す図面に対応する符号を付して説明するが、これに限定されるものではない。
本考案によれば、以下に示す構成のマスクモジュール（３０）、及び該マスクモジュール（３０）を有するマスク（１００、２００、３００、４００、５００、６００）が提供される。
以下に示す構成のマスク（１００、２００、３００、４００、５００、６００）は、寒冷気候における保護を提供することができる。また、モジュール式の機能を有することができる。以下に示す構成のマスク（１００、２００、３００、４００、５００、６００）及びマスクモジュール（３０）は、防水性及び／又は耐水性であってもよい。また、通気性の材料で形成されていてもよい。また、ウィッキング性及び抗菌性を有する材料で形成されていてもよい。また、無臭であってもよい。また、製造、取り付け、調整、及び保持が容易であることが好ましい。
【０００６】
一例に係るマスクモジュール（３０）は、鼻、口及び顎を持つ顔とともに頭を保護するマスク（１００、２００、３００、４００、５００、６００）の構成部材の一つである頭部モジュール（１１０、２１０、３１０、４１０、５１０、６１０）と連結して使用される。マスクモジュール（３０）はある材料（a material）で形成されていればよく、その材料は特に限定されない。マスクモジュール（３０）は、外面（３２）及び内面（３４）を有し、かつ顔の一部分を被覆する大きさ及び形状を有している。
【０００７】
マスクモジュール（３０）は、さらに、調整可能な上部分（３６）、中間部分（３８）及び下部分（４０）を有する。上部分（３６）は少なくとも鼻の一部分に適合可能に構成されている。中間部分（３８）は複数層のマウスピース（４２）及びマスクモジュール（３０）の対向する両側部に配置される複数のプリーツ（４４）を有する。プリーツ（４４）は、マスク（１００、２００、３００、４００、５００、６００）が顔に着用される際、マスクモジュール（３０）を形成する材料に、マスクモジュール（３０）の内面（３４）と少なくとも口との間の空間（４６）を画成するアコーディオン効果を付与する。
【０００８】
一例に係るマスク（１００、２００、３００、４００、５００、６００）は、鼻、口及び顎を持つ顔とともに頭を保護し、上記マスクモジュール（３０）と、該マスクモジュール（３０）に連結する頭部モジュール（１１０、２１０、３１０、４１０、５１０、６１０）と、を有する。頭部モジュール（１１０、２１０、３１０、４１０、５１０、６１０）は、少なくとも頭の一部分を被覆するように構成されている。
【０００９】
本考案における他の特徴及び利点は、例示によって本考案の性質が描かれた添付の図面を用いながら、後述のより詳細な説明により明らかにする。
これらの種々の本実施形態は、種々の実施形態の図面を参考にしながら、有利な特徴を強調することに重点をおいて詳細に説明される。この描かれた実施形態は、本考案を限定しないで描くことを意図されている。これらの図面は、下記の各図を有し、前記各図において、数字は各部を示す。
【考案の効果】
【００１０】
本考案によるマスク（１００、２００、３００、４００、５００、６００）は、マスクモジュール（３０）の上部分（３６）を使用者の顔の曲面（少なくとも鼻の一部分）に適合させ、これにより、マスクモジュール（３０）の内部の空間（４６）と外気との間を塞ぐシールを形成可能である。このため、本考案によるマスク（１００、２００、３００、４００、５００、６００）を、例えば、レンズを備えたゴーグル本体を長さ調節可能なストラップによって使用者の顔にかかるように固定して使用するゴーグルとともに使用した場合、形成した前記シールによって、マスク内の暖かく湿った呼気が、上部分（３６）から外部環境へ出ていくことが防止され、その結果、着用しているゴーグル本体またはそのレンズの曇りを効果的に防止できる。
本考案によるマスクモジュール（３０）は、本考案によるマスク（１００、２００、３００、４００、５００、６００）に組み込まれる。このため、例えば、ゴーグルとともに使用することを想定した場合、ゴーグル本体またはそのレンズの曇り防止効果が期待できるマスク（１００、２００、３００、４００、５００、６００）の構成部品に有用である。
すなわち、本考案によれば、改善されたマスク（１００、２００、３００、４００、５００、６００）及びこれに用いるマスクモジュール（３０）を提供することができる。
【図面の簡単な説明】
【００１１】
【図１】図１は本考案を具体化するマスクモジュールの正面図である。
【００１２】
【図２】図２は図１のマスクモジュールの側面図である。
【００１３】
【図３】図３は図１のマスクモジュールの背面図である。
【００１４】
【図４】図４は本考案を具体化するフェイスマスクの正面図であって、使用者に着用された状態である。
【００１５】
【図５】図５は図４のフェイスマスクを図４の５−５線に沿って切断した断面図である。
【００１６】
【図６】図６は図４のフェイスマスクの背面図であって、フェイスマスク単独の状態である。
【００１７】
【図７】図７は図４のフェイスマスクの斜視図である。
【００１８】
【図８】図８は図４のフェイスマスクの他の正面図である。
【００１９】
【図９】図９は図４のフェイスマスクの他の背面図であって、使用者に着用された状態である。
【００２０】
【図１０】図１０は本考案を具体化する他のフェイスマスクの斜視図であって、使用者に着用された状態である。
【００２１】
【図１１】図１１は図１０のフェイスマスクの正面図である。
【００２２】
【図１２】図１２は図１０のフェイスマスクの背面図である。
【００２３】
【図１３】図１３は本考案を具体化するさらに他のフェイスマスの斜視図であって、使用者に着用された状態である。
【００２４】
【図１４】図１４は図１３のフェイスマスクの正面図である。
【００２５】
【図１５】図１５は図１３のフェイスマスクの背面図である。
【００２６】
【図１６】図１６は本考案を具体化するさらに他のフェイスマスクの斜視図であって、使用者に着用された状態である。
【００２７】
【図１７】図１７は図１６のフェイスマスクの正面図である。
【００２８】
【図１８】図１８は図１６のフェイスマスクの背面図である。
【００２９】
【図１９】図１９は本考案を具体化するさらに他のフェイスマスクの斜視図であって、使用者に着用された状態である。
【００３０】
【図２０】図２０は図１９のフェイスマスクの正面図である。
【００３１】
【図２１】図２１は図１９のフェイスマスクの背面図である。
【００３２】
【図２２】図２２は本考案を具体化するさらに他のフェイスマスクの斜視図であって、使用者に着用された状態である。
【００３３】
【図２３】図２３は図２２のフェイスマスクの正面図である。
【００３４】
【図２４】図２４は図２２のフェイスマスクの背面図である。
【考案を実施するための形態】
【００３５】
以下、図面を参照しながら、本考案の実施形態を詳細に説明する。図面において、符号は、本実施形態の各要素を表す。これらの符号は、対応する図面の機能の説明に関連して、下記に記される。
なお、以下の説明において、「頭部」とは、主として頭にあたる部分を指し、さらに、頸部（首）にあたる喉を含むこともある。頭部正面の大部分を占めるのが顔である。上下は「顎（あご）」の先端から頭髪の生え際まで、左右は両耳の間がほぼ顔である。顔には眼が左右に並んでおり、その上に眉があり、眉の上から頭髪までの間が額（ひたい）である。両眉の間の眉間から下に鼻が出ており、鼻の下に口があり、口の下が顎である。鼻や唇の左右を頬（ほお）という。
また、以下の説明において、「マスクモジュール３０」と言った場合、それはモジュラーマスク部材またはマスクモジュールを意味するものとする。
さらに、符号を付すことなく単に「フェイスマスク」と言った場合、それは後述するモジュールマスク１００、フルマスク２００、ネックウォーマー付きフルマスク３００、バラクラバマスク４００，５００、バンダナマスク６００の各態様のすべて、あるいは一部を含むものを意味するものとする。
さらにまた、符号を付すことなく単に「頭部モジュール」と言った場合、それはモジュラー頭部部材または頭部モジュールを意味し、後述する頭部モジュール１１０、２１０、３１０、４１０、５１０、６１０の各態様のすべて、あるいは一部を含むものを意味するものとする。
【００３６】
全体概要
図１から図２４において、マスクモジュール３０が示され、これは、スタイリッシュで、見て美しい各種のフェイスマスクに組み込まれる。マスクモジュール３０は、それぞれのフェイスマスクを構成する各種の頭部モジュールに連結し、少なくとも使用者の顔（少なくとも着用者の鼻、口及び顎を含む）を保護する衣料品を提供する。マスクモジュール３０は、少なくとも頭部の残り（頬、耳、額など）の一部分を保護しなくてもよい。頭部モジュールは、少なくとも使用者の頭部の一部分を被覆するように構成されている。マスクモジュール３０は、頭部モジュールに動作的に連結されている（すなわち、種々の方法によって取り付けられる）。マスクモジュール３０は、使用者の口、鼻、顎が環境状況から守られるような種々のフェイスマスクのスタイルで多目的に作用するように設計されている。マスクモジュール３０と頭部モジュールとの連結は、フェイスマスクの少なくとも１つを構成する。フェイスマスクは、使用者の頭部の一部分をぴったりと覆う大きさ及び形状とされている。
【００３７】
マスクモジュール３０と頭部モジュールとは、別々の部品として作られ、その後一体的に連結される。例えば、マスクモジュール３０と頭部モジュールとを一緒に縫合することによって、マスクモジュール３０は頭部モジュールに固定して連結されてもよい。マスクモジュール３０と頭部モジュール間の縫い目の嵩張りを最小限にするため、フラットシーム工法（flat-seam construction；４本の針と４本の糸（下糸を入れると５本）を使って２枚の生地を縫い合わせる裁縫方法）にて、マスクモジュール３０と頭部モジュールとが一緒に縫合されるとよい。このフラットシーム工法は、使用者に、より快適で非刺激性の装着感を提供するため、マスクモジュール３０と頭部モジュール間の縫い目が多層になることを取り除く（縫合部分のフラット化が可能）。
【００３８】
あるいは、マスクモジュール３０は、接着剤や接着テープのような化学物質によって、頭部モジュールに固定して連結されてもよい。他の代用として、マスクモジュール３０は、機械的な連結具（例えば、面ファスナー（例えばＶＥＬＣＲＯ（登録商標）ファスナー）、ジッパー、ピン、クリップ、掛け金、ストラップ、かぎホックファスナー、トグルファスナー、スナップ（雄雌）、ボタンとボタンホール、ストラップとバックル、様々なタイプの雄雌の連結ファスナーなど）、磁気ファスナーなどによって、取り外し可能に頭部モジュールに連結されてもよい。マスクモジュール３０が頭部モジュールに取り外し可能に連結される場合、マスクモジュール３０は、単一のマスクモジュール３０と１つまたは複数の、頭部モジュールとからなるキットの一部であるとよい。これにより、使用者は、使用者の状態、気候状況、使用者が着用しようとしている他の帽子などに応じて、その時に使用者が使用することを希望するタイプの、いずれかの頭部モジュール１１０、２１０、３１０、４１０、５１０、６１０に交換して使用してもよい。あるいは、マスクモジュール３０は、いずれかの頭部モジュールとともに１枚構成として一体で形成されてもよい。
【００３９】
マスクモジュール
図１から図３に示すように、一例としてのマスクモジュール３０は、外面３２と、内面３４を有する。外面３２と内面３４は、それぞれ、着用時に外部に露出する面と人体側に対向する面に相当する。マスクモジュール３０は、使用時において人の顔の下部分を覆う大きさ及び形状であり、使用者の顎から喉に向けて下に伸び、完全に使用者の口を覆い、使用者の鼻をほとんど被覆し、少なくとも使用者の頬の上部及び下部の一部分を被覆する。
【００４０】
マスクモジュール３０は、調整可能な上部分３６と、中間部分３８と、下部分４０を含む。中間部分３８は、使用者のほぼ口に対応して位置する多層のマウスピースモジュールまたはマウスピース（以下、単に、マウスピースと略記）４２を含む。マスクモジュール３０は、さらに、その形成材料（生地を含む）において複数のプリーツ（pleats）４４を含む。プリーツ４４は、マスクモジュール３０の形成材料の一部分につけた横方向の折り目（lateral folds）を、マスクモジュール３０の側部に向けて一緒に縫うことにより形成されている。プリーツ４４は、マスクモジュール３０の対向する両側部に配置されている。プリーツ４４は、ほぼ中間部分３８に位置してもよいが、上部分３６の中間から下部や、下部分４０の上部から中間に配置されてもよい。プリーツ４４は、使用者の口／鼻／顎の領域に対して三次元形状を提供し、これにより、使用者の鼻すじから顎にかけてフィットして被覆され、使用者を快適にする。プリーツ４４は、プリーツ４４により作られたマスクモジュール３０の構成材料におけるアコーディオン効果を利用し、その領域を包み込む。構成材料におけるアコーディオン効果は、フェイスマスクが使用者の顔に着用された際に、マスクモジュール３０の内面３４と少なくとも使用者の口との間のデッキ（vestibule）または空間４６を画成する。空間４６及び使用者の口／鼻／顎の領域の内部の空気は、一般的に、マスクモジュール３０より外側の空気よりも暖かい。また、プリーツ４４によって画成された空間４６によって、使用者の口及び顎の動きが自由になり、話しているときに使用者の口の開閉動作によって、フェイスマスクがほとんど動かず、またマスクモジュール３０をしっかりと着用者の顔に固定させ続ける。プリーツ４４のこの大きさ及び位置により、マスクモジュール３０の形成材料に折り目または皺（folds）４５が作られることがある。
【００４１】
マスクモジュール３０及び頭部モジュールは、種々の材料によって作られてよい。全てのフェイスマスクは、保護と暖かさを優先に設計されている。しかし、使用される材料は、寒冷な厳しい条件下で使用されるフェイスマスクであるか、またはそれほど厳しくない状況下で使用されるフェイスマスクであるかに依拠する。厳しい環境状況であるにもかかわらず、マスクモジュール３０に使用されている生地が、水分が使用者の頭部及び首部から生地の外層に移動する水分移動特性を有すると、水分が消散／蒸発してしまうことがある。マスクモジュール３０の少なくとも一部分は、頭部モジュールの少なくとも一部分と同一の材料によって作られる。あるいは、マスクモジュール３０の少なくとも一部分は、頭部モジュールの少なくとも一部分の材料と異なる材料によって作られる。
【００４２】
寒冷かつ厳しい状況において、マスクモジュール３０の一実施形態は、ウィッキング性及び抗菌性を持つ防水性及び通気性を有する材料（または部材）で作られることができる。例えば、この材料は、１００％のポリエステルの防水性及び通気性のある中膜（すなわち、水蒸気がそれを介して移動する）を有する３層生地（外層／中膜／内層）により構成することができる。この場合、外層は、マスクモジュール３０の外面３２を構成し、水蒸気を通さず乾燥時間が短く、持ちの良い撥水加工の滑らかな編地表面を有することができる。持ちの良い撥水生地加工は、マスクモジュール３０の外側の生地が水蒸気で充満される状態に保つ。この持ちの良い撥水加工は、蒸気・雪が外側の生地から入らないようにして、蒸気・雪がたまらない。一般に、マスクモジュール３０の外側の生地を乾燥状態に維持することは有益である。中膜は、水蒸気が使用者の肌に接触することを防止している間に、フェイスマスクを呼吸させる。内層は、マスクモジュール３０の内面３４に配置され、柔軟性と快適性のための毛で覆われた表面を有しているとよい。この毛で覆われた表面は、フェイスマスクの動きによって使用者の肌が刺激されることを防止することができる。
【００４３】
それほど厳しくない(しかし寒冷の）状況において、マスクモジュール３０の一実施形態は、ウィッキング性及び抗菌性を持つ断熱性及び通気性の生地からなり、寒冷かつ厳しい状況で使用される前記材料よりも、より軽量な構造の材料により作られるとよい。例えば、この材料は、滑らかな表面と毛で覆われた背面を備えた編糸の単一層を有する８９％のポリエステルと１１％のスパンデックスの生地からなるとよい。この材料の外面は、マスクモジュール３０の外面３２を構成し、水蒸気を通さず、押しのけ、乾燥時間が短い疎水処理された滑らかな編地の表面を有する。一般に、マスクモジュール３０の外側の生地を乾燥状態に維持することは有益である。この材料の内面は、マスクモジュール３０の内面を構成し、柔軟性と快適性のための毛で覆われた表面を有するとよい。この毛で覆われた表面は、フェイスマスクの動きによって使用者の肌が刺激されることを防止することができる。マスクモジュール３０は、厳しい気候状況での過酷さにかかわらず、水分管理繊維及び臭気防止のための抗菌処理(銀系など）を有する材料を含むことができる。
【００４４】
マスクモジュール３０の中間部分３８に配置されるマウスピース４２は、外側層４８、中間層（空間）５０、及び内側層５２を備えている。マウスピース４２は、流入する空気が直接進入してしまうことを防止し、外側層４８が流入する空気をそらせて放散するようにする。中間層５０は、熱の恩恵が加えられるために空気を閉じ込め、外部環境からマスクモジュール３０に入ってくる空気を暖めるエアトラップを提供する。寒冷な厳しい状況下において、マウスピース４２は、１００％ポリエステルで、３次元のスペーサーの生地（例えば、メッシュ材の外側層４８、スペーサーとなる中間層５０、及びニット材の内側層５２を有するもの）によって作られるとよい。この生地は、抗菌性（例えば抗菌性管理のための銀系技術（例えば、Ａ．Ｍ．Ｙ（登録商標）抗菌繊維、ＨｅｉＱ社のＨｕｎｔｓｍａｎ  Ｐｕｒｅ））や水蒸気管理特性（例えば、Ｓｏｒｂｔｅｋ（登録商標）水分管理繊維）を含む様々な特性を有する繊維で作られるとよい。例えば、繊維を製造する際、ポリマーが押し出されるときに抗菌性のパウダー（添加剤）が加えられるとよく、これによりこの繊維に抗菌機能が備わることとなる。抗菌性の繊維効能をとりいれたマスクモジュール３０及び頭部モジュールは、臭気の原因となるバクテリアの成長が防止されることにより、フェイスマスクの無臭(少なくとも臭気の軽減）を維持することができる。他の例として、水分管理は、前記メッシュ生地材に使用される繊維の大きさ及び形状によって達成されるとよい。外側層４８のメッシュ材の重さは、約８．２オンス／ｙｄ２であるとよい。それほど厳しくない状況において、マウスピース４２は類似の構成を有するとよいが、外側層４８は、より軽量のメッシュ生地材（例えば、約４．５オンス／ｙｄ２）を用いる。外部環境の状況にかかわらず、マウスピース４２に使用されるメッシュ生地は、プッシュ−プルニットパターン機能が働く。この機能は、適切な通気性のための例外的な空気流を実現すると共に水蒸気の移動を迅速化するために、押し引きする（内側層５２、すなわち顔に面する側の生地が押し、そして外側に面する側の生地、すなわち外側層４８が引き寄せて、外部環境へ蒸発させる）。
【００４５】
マウスピース４２は、マスクモジュール３０（例えば、フラットシーム工法を用いて縫合されたもの）に永続的に接続され、外部環境からマスクモジュール３０に入ってくる流入する新鮮な空気を混合し、または循環することにより呼吸性／通気性を提供する。あるいは、マウスピース４２は、機械的な連結具（例えば、面ファスナー（例えばＶＥＬＣＲＯ（登録商標）ファスナー）、ジッパー、ピン、クリップ、掛け金、ストラップ、かぎホックファスナー、トグルファスナー、スナップ（雄雌）、ボタンとボタンホール、ストラップとバックル、様々なタイプの雄雌の結合ファスナーなど）、磁気ファスナーなどによって、マスクモジュール３０に取り外し可能に接続されていてもよい。マウスピース４２をマスクモジュール３０に取り外し可能に接続することにより、使用者が異なるタイプのマウスピース（例えば、厳しい状況用のマウスピース、それほど厳しくない状況用のマウスピース）を交換したり、マウスピース４２なしのマスクモジュール３０を装着することができるようにする。このマウスピース４２の構成によって、使用者が使用者の口、喉、肺及び気管支に直接、外の冷たい空気を直接吸い込むことができないようにする。流入する新鮮な外部空気をそらして放散し、及びマスクモジュール３０に入る時に新鮮な空気を循環することにより、マウスピース４２は、直接の冷たく、厳しい冬の空気が使用者の口、喉及び肺を刺激し、その後に使用者の気管支が刺激及び損傷されることを防止する。前記流入する空気は、吸入に際して前記空気がマスクモジュール３０に入る時にマウスピース４２によって循環され及び／または分散され、マウスピース４２は使用者に快適さと保護を提供する。
【００４６】
マスクモジュール３０の上部分３６は、少なくとも使用者の鼻の一部分に適合可能に構成されている。この上部分３６は、その上端に形成されたポケット５６の内部に配置されるフレキシブルバンド５４を有する。あるいは、フレキシブルバンド５４は、マスクモジュール３０の材料の各層間に配置されるとよい。フレキシブルバンド５４は、パッディング（快適さ）のため及びこのバンド５４が生地から出てしまうことを防止するために、メッシュ及び伸縮自在な複数の層の間に配置されるとよい。フレキシブルバンド５４は、使用者の鼻の少なくとも一部分にしなりかつ適合する。フレキシブルバンド５４は、上部分３６に柔軟な鼻すじ部分を提供する。フレキシブルバンド５４は、無制限に、軟質金属、アルミニウム合金、銅合金、板金、銀合金、複合材、チタンなどを含む複数の曲げやすく、しなりやすい材料によって作られるとよく、その材料は、曲げられた時の形状を記憶するとよい。フレキシブルバンド５４は、無制限に、細長棒状、細長ロッド状、または細長の円状若しくは多角形状などを含む様々な形状であってもよい。フレキシブルバンド５４は、使用者の顔への不必要な圧力を避けるために、使用者の顔に向いている面が平坦面であることが好ましい。ポケット５６の内部には、フレキシブルバンド５４は、使用者の顔を横断して上部分３６に沿って延びている。このような状態において、フレキシブルバンド５４は、使用者の鼻のすじ上部を横断して広がってのびているだけでなく、使用者の頬骨上部にのびて広がっている。これにより、使用者の顔における広い面にフェイスマスク全体の圧力がかかっている。この圧力の分散は、鼻すじ上における使用者の顔の曲線及び顔の頬骨の高い部分（すなわち、使用者の目の下）間の距離に容易に対応するという点において優れている。フレキシブルバンド５４は、使用者の頬骨に圧力を分散して、どのような不快感も取り除き、マスクモジュール３０の上部分３６が使用者固有の顔の曲線に合うようにする。フレキシブルバンド５４の位置及び形状を備えることにより、上部分３６の形状は、マスクモジュール３０と使用者の顔との間の接触の増減を調整し、使用者の顔にかかるマスクモジュール３０の圧力を調整する。バンド５４の柔軟性のため、フレキシブルバンド５４の形状は、一般にフレキシブルバンド５４が配置される使用者の顔の曲線に適合する。さらに、これは、フェイスマスクの重さが、フレキシブルバンド５４の長さに広く沿って、使用者の顔に広く分散されるとこととなる。フレキシブルバンド５４の両端部は、ほぼ反対方向に、使用者の鼻から離れ、使用者の顔における頬の上部にかかるように延びている。フレキシブルバンド５４の長さは、マスクジュール３０自体の重さと、使用者の顔上におけるマスクモジュール３０の圧力を分散する必要性に依拠する。例えば、寒冷で厳しい状況用のマスクモジュール３０は、それほど厳しくない状況用のマスクモジュール３０より重い。このため、寒冷で厳しい状況用のマスクモジュール３０のフレキシブルバンド５４の長さは、それほど厳しくない状況用のマスクモジュール３０において必要とされるフレキシブルバンド５４の長さより長い。それほど厳しくない状況用のフレキシブルバンド５４は、おおよその好適な長さを有するとよく、その長さは、鼻すじと少なくとも使用者の鼻の両側部から使用者の頬に下がる部分を被覆するのに必要な長さにしてもよい（フレキシブルバンド５４の長さは、使用者の鼻すじを被覆するのに必要な長さから上部分３６の最上部におけるマスクモジュール３０のほぼ全幅寸法間で変更してもよい）。寒冷で厳しい状況用のフレキシブルバンド５４の好ましいおおよその長さについて、マスクモジュール３０自体の上部分３６の長さにしてもよい（すなわち、上部分３６の最上部におけるマスクモジュール３０のほぼ全幅寸法よりほんの少しだけ短く、これによりフレキシブルバンド５４はポケット５６内部に配置されたままとなる）。寒冷で厳しい状況用のフレキシブルバンド５４及びそれほど厳しくない状況用のフレキシブルバンドは、上述するように、長さに関し変更するようにしてもよい。
【００４７】
使用者の顔に対する上部分３６の形状は、フェイスマスクまたはマスクモジュール３０の内部または外部を移動する空気のための少なくとも１つの流路を画成するように対応するとよい。これは、マスクモジュール３０の上部分３６が、マスクモジュール３０の内部と外部の間の空気の流路のための小さい通気孔を作る形状とされるとよい。これにより、フレキシブルバンド５４の特徴は、使用者が使用者の顔に、マスクモジュール３０における上部分３６の圧力がかかる部分を調整することができるだけでなく、マスクモジュール３０の内部または外部の付加空気量を調整することができるようにする。上部分３６の形状の調整は、使用者にマスクモジュール３０内部の温度を調整することができるようにし、同様にマスクモジュール３０の内部及び／または外部で動く空気量を調整することができるようにする。使用者が上部分３６の形状を顔の形状に合わせたり、再設定することができるようにすることにより、使用者は、個々にフェイスマスク内部の温度や、使用者の顔上のフェイスマスクの圧力、及びマスクモジュール３０の内部及び／または外部で動いている空気量を調整することができる。
【００４８】
フェイスマスクの例１
図４から図９に示すように、本考案を具体化する一例のフェイスマスクは、マスクモジュール３０が頭部モジュール１１０に連結するモジュールマスク１００の形状である。
頭部モジュール１１０は、マスクモジュール３０に接続され、マスクモジュール３０から離れる方向にのびる左部分１１２及び右部分１１４を備えている。
左部分１１２は、マスクモジュール３０の一側に接続されており、右部分１１４は、マスクモジュール３０他側に接続されている。左部分１１２及び右部分１１４は、マスクモジュール３０と同一の材料によって作られている。あるいは、左部分１１２及び右部分１１４は、マスクモジュール３０の材料と異なる材料（例えば、１００％ポリエステルの毛で覆われた生地）、または混合材料（例えば、左部分１１２及び右部分１１４の一部分がマスクモジュール３０の材料と同様に作られ、左部分１１２及び右部分１１４の他の部分がマスクモジュール３０の材料と異なる材料で作られる）によって作られている。
本例において、マスクモジュール３０及び頭部モジュール１１０は、永続的に接続されてもよく（例えば、マスクモジュール３０と頭部モジュール１１０との間のかさばる縫い目を最小限にするためにフラットシーム工法を用いて一緒に縫い合わされたり、化学的に接続するなど）、あるいは、無制限に、機械的な連結具（例えば、面ファスナー（例えばＶＥＬＣＲＯ（登録商標）ファスナー）、ジッパー、ピン、クリップ、掛け金、ストラップ、かぎホックファスナー、トグルファスナー、スナップ（雄雌）、ボタンとボタンホール、ストラップとバックル、様々なタイプの雄雌の連結ファスナーなど）を含む種々の連結具を使用して、取り外し可能に接続されてもよい。
【００４９】
左部分１１２及び右部分１１４は、使用者の頭部の周りを包むようになっている。左部分１１２及び右部分１１４の先端部に配置された連結具１１６は、相互に連結して、モジュールマスク１００をぴったりと使用者の頭部に固定させる。左部分１１２及び右部分１１４は、少なくとも使用者の耳の一部分を被覆し（すなわち、個々の使用者の耳の大きさに依拠する）、マスクモジュール３０によってぴったりと包まれた使用者の頬及び顎の下部分とともに使用者の顔にぴったりとマスクモジュール３０を固定させる。
連結具１１６は、機械的な締め具（例えば、面ファスナー（例えばＶＥＬＣＲＯ（登録商標）ファスナー）、ジッパー、ピン、クリップ、掛け金、ストラップ、かぎホックファスナー、トグルファスナー、スナップ（雄雌）、ボタンとボタンホール、ストラップとバックル、様々なタイプの雄雌の連結ファスナーなど）、磁気ファスナーなどを含む種々の形状があるとよい。あるいは、左部分１１２及び右部分１１４は、永続的に接続されており(例えば、フラットシーム工法を用いて一緒に縫い合わされたり、単一の材料など）、左部分１１２及び右部分１１４の部材は、使用者の頭部の周りにフィットし、モジュールマスク１１０の位置を固定するため弾性的かつ伸長可能で伸縮自在である。
【００５０】
フェイスマスクの例２
図１０から図１２に示すように、本考案を具体化する他の例のフェイスマスクは、マスクモジュール３０が頭部モジュール２１０に連結するフルマスク２００の形状である。
頭部モジュール２１０は、マスクモジュール３０の両側部に接続され、マスクモジュールの両側部から離れる方向にのびる単一部分２１２を備えている。
単一部分２１２は、使用者の額の中央／上部に渡ってのびており、使用者の頭部の上部分及び使用者の目を含む使用者の頭部における被覆しない部分を残すように構成されている。単一部分２１２は、マスクモジュール３０と同一材料で作られている。或いは、単一部分２１２は、マスクモジュール３０の材料と異なる材料（例えば、１００％ポリエステルの毛に覆われた生地）、または混合材料（例えば、単一部材２１２の一部分がマスクモジュール３０と同一の材料によって作られ、単一部材２１２の他の部分がマスクモジュール３０の材料と異なる材料によって作られる）によって作られている。
本例において、マスクモジュール３０及び頭部モジュール２１０は、永続的に接続されるものでよく（例えば、マスクモジュール３０と頭部モジュール２１０との間のかさばる縫い目を最小限にするためにフラットシーム工法を用いて一緒に縫い合わされたり、化学的に接続するなど）、あるいは、無制限に、機械的な連結具（例えば、面ファスナー（例えばＶＥＬＣＲＯ（登録商標）ファスナー）、ジッパー、ピン、クリップ、掛け金、ストラップ、かぎホックファスナー、トグルファスナー、スナップ（雄雌）、ボタンとボタンホール、ストラップとバックル、様々なタイプの雄雌の連結ファスナーなど）を含む種々の連結具を使用して、取り外し可能に接続されてもよい。
【００５１】
単一部材２１２は、使用者の頭部の周りを包み、フルマスク２００をぴったりと使用者の頭部に固定させる。単一部材２１２は、使用者の耳を含む少なくとも使用者の頭部の一部分を被覆し、前述のとおりマスクモジュール３０によってぴったりと包まれた使用者の頬及び顎の下側とともに使用者の顔にマスクモジュール３０をぴったりと固定させる。単一部材２１２の前記材料は、使用者の頭部の周りにフィットし、フルマスク２００の位置を固定するため弾性的かつ伸長可能で伸縮自在である。
【００５２】
フェイスマスクの例３
図１３から図１５に示すように、本考案を具体化する他の例のフェイスマスクは、マスクモジュール３０が頭部モジュール３１０に連結するネックウォーマー付きフルマスク３００の形状である。ネックウォーマー付きフルマスク３００は、前述したフルマスク２００の構成と類似しており、全てではないにしても、同一の性質をほとんど取り入れている。
しかし、頭部モジュール３１０は、単一部分３１２を有しており、マスクモジュール３０の両側部に接続され、マスクモジュール３０の両側部から離れる方向にのびている。さらに、頭部モジュール３１０は、ネックウォーマー部分３１４を有しており、ネックウォーマー部分３１４は、残りの単一部分３１２と同一の材料で作られている。単一部分３１２及びネックウォーマー部分３１４は、マスクモジュール３０と同一の材料によって作られてもよい。あるいは、単一部材３１２及びネックウォーマー部分３１４は、マスクモジュール３０の前記材料と異なる材料によって（例えば、１００％ポリエステルの毛で覆われた生地）、または混合材料（例えば、単一部分３１２及びネックウォーマー部分３１４の一部分は、マスクモジュール３０と同一の材料によって作られ、単一部分３１２及びネックウォーマー部分３１４の他の部分は、マスクモジュール３０の材料と異なる材料によって作られる）によって作られる。また、単一部分３１２及びネックウォーマー部分３１４は、それぞれ同一の材料または異なる材料によって作られてもよい。単一部分３１２の前記材料は、使用者の頭部及び首部の周りにフィットし、フルマスク３００の位置を固定するため、弾性的かつ伸長可能で伸縮自在である。
【００５３】
フェイスマスクの例４，５
図１６から図１８及び図１９から図２１に示すように、本考案を具体化する他の例のフェイスマスクは、マスクモジュール３０が頭部モジュール４１０、５１０に連結する２つのタイプのバラクラバマスク４００、５００の形状である。両バラクラバマスク４００、５００は、前述したネックウォーマー付きフルマスク３００の構成と類似しており、全てではないにしても、同一の性質をほとんど取り入れている。
それぞれの頭部モジュール４１０、５１０は、マスクモジュール３０の両側部に接続され、マスクモジュール３０の両側部から離れる方向にのびる。さらに、単一部分４１２、５１２を有している。それぞれの頭部モジュール４１０、５１０は、ネックウォーマー部分４１４、５１４を有し、ネックウォーマー部分４１４、５１４は、残りの単一部分４１２、５１２と同一の材料によって作られている。単一部分４１２、５１２及びネックウォーマー部分４１４、５１４は、マスクモジュール３０と同一の材料によって作られてもよい。あるいは、単一部分４１２、５１２及びネックウォーマー部分４１４、５１４はマスクモジュール３０の材料と異なる材料（例えば、ポリエステル１００％の毛で覆われた生地）、または混合材料（例えば、単一部分４１２、５１２及びネックウォーマー部分４１４、５１４の一部分は、マスクモジュール３０と同一の材料によって作られ、単一部分４１２、５１２及びネックウォーマー部分４１４、５１４の他の部分は、マスクモジュール３０の材料と異なる材料で作られる）によって作られる。また、単一部分４１２、５１２及びネックウォーマー部分４１４、５１４は、それぞれ同一の材料または異なる材料によって作られてもよい。
しかし、バラクラバマスク４００は、使用者の目及び額の下部分を除く使用者の頭部を完全に被覆する。一方、バラクラバマスク５００は、使用者の目及び額のほとんどの部分を除く使用者の頭部を完全に被覆する。単一部分４１２、５１２の材料は、使用者の頭部及び首の周りにフィットし、バラクラバマスク４００、５００の位置を固定するため、弾性的かつ伸長可能で伸縮自在である。
【００５４】
フェイスマスクの例６
図２２から図２４に示すように、本考案を具体化する他の例のフェイスマスクは、マスクモジュール３０が頭部モジュール６１０に連結するバンダナマスク６００の形状である。
頭部モジュール６１０は、マスクモジュール３０に接続され、マスクモジュール３０から離れる方向、使用者の頭部の後ろ部分の周り、及び使用者の首の両側面及び前面の周りにおいて下向きにのびる中央部分６１２、左部分６１４、右部分６１６を備えている。中央部分６１２、左部分６１４、右部分６１６は、マスクモジュール３０と同一の材料によって作られる。あるいは、中央部分６１２、左部分６１４、右部分６１６は、マスクモジュール３０の材料と異なる材料（例えば、１００％ポリエステルの毛で覆われた生地）、または混合材料（例えば、中央部分６１２、左部分６１４、右部分６１６の一部分は、マスクモジュール３０と同一の材料によって作られ、中央部分６１２、左部分６１４、右部分６１６の他の部分は、マスクモジュール３０の材料と異なる材料で作られる）によって作られる。また、中央部分６１２、左部分６１４、右部分６１６は、それぞれ同一の材料または異なる材料によって作られてもよい。マスクモジュール３０及び頭部モジュール６１０は、永続的に接続されてもよく（例えば、マスクモジュール３０と頭部モジュール６１０との間のかさばる縫い目を最小限にするためにフラットシーム工法を用いて一緒に縫い合わされたり、化学的に接続するなど）、あるいは、無制限に、機械的な連結具（例えば、面ファスナー（例えばＶＥＬＣＲＯ（登録商標）ファスナー）、ジッパー、ピン、クリップ、掛け金、ストラップ、かぎホックファスナー、トグルファスナー、スナップ（雄雌）、ボタンとボタンホール、ストラップとバックル、様々なタイプの雄雌の連結ファスナーなど）を含む種々の連結具を使用して、取り外し可能に接続されてもよい。
【００５５】
左部分６１４及び右部分６１６は、使用者の頭部の周りを包むようになっている。左部分６１４及び右部分６１６の先端部に配置された連結具６１８は、相互に連結して、バンダナマスク６００をぴったりと使用者の頭部に固定させる。左部分６１４及び右部分６１６は、少なくとも使用者の耳の一部分を被覆し（すなわち、個々の使用者の耳の大きさに依拠する）、マスクモジュール３０によってぴったりと包まれた使用者の頬及び顎の下部分とともに使用者の顔にぴったりとマスクモジュール３０を固定させる。連結具６１８は、機械的な連結具（例えば、面ファスナー（例えばＶＥＬＣＲＯ（登録商標）ファスナー）、ジッパー、ピン、クリップ、掛け金、ストラップ、かぎホックファスナー、トグルファスナー、スナップ（雄雌）、ボタンとボタンホール、ストラップとバックル、様々なタイプの雄雌の連結ファスナーなど）、磁気ファスナーなどを無制限に含む種々の形状があるとよい。あるいは、左部分６１４、右部分６１６は、永続的に連結されており（例えば、フラットシーム工法を用いて一緒に縫い合わされたり、単一の材料によってなど）、及び左部分６１４及び右部分６１６の材料は、使用者の頭部の周りにフィットし、バンダナマスク６００の位置を固定するため弾性的かつ伸長可能で伸縮自在である。
【００５６】
フェイスマスクの使用例
前述した各例のフェイスマスクは、使用者の目を被覆するために使用者によって着用されるゴーグルとともに使用されるとよい。ゴーグルは、一般的に、レンズを備えたゴーグル本体に付いている伸縮自在かつフレキシブルで長さ調節可能なストラップによって使用者の顔にかかるように固定するようになっている。ストラップは、使用者の頭部の周りにフィットし、ゴーグル本体のレンズ部分が使用者の目にかかるように配置させる。使用者の熱、湿気、呼気（水蒸気を含む）が使用者の口から上方に上がり、外気と接触すると、ゴーグル本体のレンズが曇る場合がある。この上がってきた水蒸気がゴーグル本体のレンズに接触し、これが原因となって、レンズが曇ることがある。このため、使用者がゴーグルを装着するとともに、各例のフェイスマスクを装着する場合に、フェイスマスクの前記構造は、外気から使用者の呼気を封じ込めて、これにより、使用者の呼気が使用者のゴーグルのレンズを曇らせることを防止する。マスクモジュール３０の上部分３６は、使用者の顔の曲線に適合し、マスクモジュール３０の内部の空間４６と外気との間を塞ぐシールを形成する。上部分３６と外気との間の前記シールは、使用者の顔にかけて着用されているゴーグルが曇ることを防止し、温かい湿った呼気が、上部分３６に沿ってマスクモジュール３０から出ていくことを防止し、若しくは少なくともほとんど防止する。例えば、マスクモジュール３０の上部分３６に配置されるフレキシブルバンド５４によって、上部分３６が顔及び前記ゴーグルのフレーム内部にフィットすることとなり、これにより、ゴーグルのレンズが曇ることを防止する。
【００５７】
あるいは、いずれか１つまたは複数の、各例のフェイスマスクは、プルオーバーの衣服、前掛け式のシャツなどの胸飾り（Dickie）、スカーフ、ネックウォーマー、または複数のタイプの帽子において下に垂れるライナー（Drop down liner）として組み込まれることもできる。加えて、いずれか１つまたは複数の、各例のフェイスマスクは、他の衣料に組み込まれることもできる。
【００５８】
本考案は、アウトドアでの寒冷気候環境における使用に関して説明されているが、本考案はこの環境下での使用に限定されるものではなく、自然の洞窟、保冷施設、冷蔵コンテナ、人が立って入れる大きさの冷凍庫など、自然の及び人口の寒冷環境において使用されてもよい。
【００５９】
あるいは、本考案は、寒くない状況での使用に採用されてもよい。例えば、他の実施形態において、マスクモジュール３０は、ほこり及び／または花粉でいっぱいの空気の環境での使用に採用されることもできる。例えば、各例のフェイスマスクは、著しく高い量の花粉が舞うほこり／砂の嵐、風の強い日などの使用に採用されることもできる。前述の状況において、マウスピース４２は、１つまたは複数の前記層にさらなる空気濾過特性を付与し、または追加のフィルター層をマウスピース４２に追加することにより適合させる。また、マスクモジュール３０は、温かい状況下での使用において、軽量材料の使用が採用されてもよい。さらに、マスクモジュール３０は、汚染された環境下における使用用に採用されるとよい。例えば、マウスピース４２は、１つまたは複数の前記層にさらなる空気濾過特性を付与し、または追加のフィルター層をマウスピース４２に追加することにより調整される。
【００６０】
あるいは、各例のフェイスマスクに使用される材料は、種々の物質（例えば、芳香性、医薬性、治療上など）によって処理され、または各例のフェイスマスクを装着している人に芳香性、医療性及び／または治療上の効果を与える添加剤とともに作られてもよい。
【００６１】
加えて、請求項に記載されている考案は、大きさは制限されず、大人用や子供用など種々に合わせて作られるとよく、前述の寒冷気候での保護の同一または類似の性質が当てはまる。また、前述した各例のフェイスマスク及びそれらの構成要素の大きさ及び形状は、ここで参照した図面の縮尺で描かれているものとして解釈されるものではなく、各例のフェイスマスクの大きさは、大人用及び子供用の工業上の基準に合わせて調整されてもよい。さらに、明細書のこれらの図面（及びそれらに示される種々の構成要素）は、縮尺で描かれたものとして解釈されるものではない。
【００６２】
この明細書を通して、単語“有する（comprise）”、または種々の“有する（comprises）”や“有している（comprising）”のような変化は、既述の要素、整数、ステップ、または要素、整数、ステップのグループを含むものとして理解される。しかしながら、いずれかの要素、整数、ステップ、または要素、整数、ステップのグループを除外しない。
【００６３】
“少なくとも”または“少なくとも１つ”の表現の使用は、１つまたは複数の要素、材料、または量の使用を示唆し、前記使用は、１つまたは複数の所望の目的または結果を達成するために開示された前記実施形態においてであってよい。
【００６４】
種々の物理的なパラメータ、寸法、または量のために示された数値は、単なる概算値であり、反対に明細書に明示がない限り、パラメータ、寸法または量とされた数値と比較してより高い／より低い値は開示の範囲に該当すると把握される。
【００６５】
ここに使用された用語は、個々の実施形態のみを説明する目的のためであり、限定を意図していない。ここに使用されたように、単数形“a”“an”“the”は、文脈が明らかに別のことを示していない限り、複数形を同様に含むことを意図するとよい。前記用語“有する（comprises）”、“有している（comprising）”、“含んでいる（including）”、及び“持つまたは持っている（having）”は包括的である。したがって、既述の性質、整数、ステップ、処理、要素、及び／または部品の存在を特定するものであるが、１つまたは複数の他のそれらの性質、整数、ステップ、処理、要素、部品、及び／またはそれらのグループの存在または追加を除外するものではない。ここに開示された方法のステップ、プロセス、及び処理は、特別な順序の特定がない限り、説明されたまたは描かれた特別の順番において必ずしも必要な処理として解釈されない。追加のまたは交換可能なステップが用いられてもよいと理解される。
【００６６】
ある要素や層が他の要素や層に対して“上に”、“連結され”、“接続され”、または“結合され”と示された場合、他の要素や層と直接上、連結、接続、結合されていてもよく、または中間の要素または層があってもよい。対して、ある要素が他の要素または層に、“直接上に”、“直接連結され”、“直接接続され”、または“直接結合され”と示された場合、中間の要素または層はないほうがよい。さらに、要素間の関係を説明するために使用される用語は同様に解釈されるべきである（例えば、“間に”と、“直接間に”、“調整する”と、“直接調整する”、など）。ここに使用されたように、用語“及び／または”は、挙げられた項目に関連する１つまたは複数のいずかれの及びすべての結合を含む。
【００６７】
空間に関連する用語、例えば、“前（正面）”、“後（背面）”、“左”、“右”、“内”、“外”、“下”、“下方”、“下部”、“上方”、“上部”、のような用語は、図面に描かれているような他の要素または性質に対し１つの要素または性質との関係を明確にする説明を容易にするためにここでは使用されているとよい。空間に関連する用語は、図面に記載された方向に加えて、使用または実施において前記考案品の異なる方向を包含することを意図している。例えば、図面上の本考案品がひっくり返された場合には、他の要素や特徴・性質の“下方”または“下”として記載されている要素が、他の要素や特徴・機能の“上方”に方向づけられることとなる。このため、例示の用語“下方”は、上方及び下方の両方向を包含することができる。前記考案品は、別の方法で方向づけられ（９０度または他の方向に回転され）、ここに使用された前記空間に関連する記述は、それに応じて解釈されてもよい。
【００６８】
前述の説明は、本考案を実施するために考えられ、本考案を作成し使用する方法やプロセスの最適な形態を、当業者がこの考案を作成し使用することができるように、このようなたくさんの明確で簡明で正確な用語を用いて、紹介するものである。しかし、この考案品は、完全に同等であると説明されたものと、容易に変更及び構造の代替をすることができる。この結果、本考案は、開示された特定の実施形態に限定されるものではない。反対に、本考案は、明確に指摘し、明白に請求する本考案の主題である下記の請求項によって一般的にあらわされた本考案の範囲内において、すべての変更及び構造の代替を含む。
【符号の説明】
【００６９】
３０…  モジュラーマスク部材またはマスクモジュール
３２…  外面
３４…  内面
３６…  上部分
５４…  フレキシブルバンド
５６…  ポケット
３８…  中間部分
４０…  下部分
４２…  マウスピース
４８…外側層
５０…中間層
５２…内側層
４４…  プリーツ
４５…  折り目または皺
４６…  空間
１００…  モジュールマスク
１１０…  頭部モジュール
１１２…  左部分
１１４…  右部分
１１６…  連結具
２００…  フルマスク
２１０…  頭部モジュール
２１２…  単一部分
３００  ネックウォーマー付きフルマスク
３１０…  頭部モジュール
３１２…  単一部分
３１４…  ネックウォーマー部分
４００，５００…  バラクラバマスク
４１０、５１０…  頭部モジュール
４１２、５１２…  単一部分
４１４、５１４…  ネックウォーマー部分
６００…  バンダナマスク
６１０…  頭部モジュール
６１２…  中央部分
６１４…  左部分
６１６…  右部分
６１８…  連結具
【図１】
0003210690.tif 000003
【図２】
0003210690.tif 000004
【図３】
0003210690.tif 000005
【図４】
0003210690.tif 000006
【図５】
0003210690.tif 000007
【図６】
0003210690.tif 000008
【図７】
0003210690.tif 000009
【図８】
0003210690.tif 000010
【図９】
0003210690.tif 000011
【図１０】
0003210690.tif 000012
【図１１】
0003210690.tif 000013
【図１２】
0003210690.tif 000014
【図１３】
0003210690.tif 000015
【図１４】
0003210690.tif 000016
【図１５】
0003210690.tif 000017
【図１６】
0003210690.tif 000018
【図１７】
0003210690.tif 000019
【図１８】
0003210690.tif 000020
【図１９】
0003210690.tif 000021
【図２０】
0003210690.tif 000022
【図２１】
0003210690.tif 000023
【図２２】
0003210690.tif 000024
【図２３】
0003210690.tif 000025
【図２４】
0003210690.tif 000026